(57)【要約】  【課題】ロールペーパーの端部をより確実に送り出すとともに、ロールペーパーの損傷を防ぐ。  【解決手段】ペーパーホルダーは、ロールペーパーを回転可能に保持する収納部と、前記ロールペーパーの前面上部に接触させるための先端部を含み、前記先端部が上下方向に揺動するように前記収納部に設けられたカバー部と、前記ロールペーパーの後面に当接させるための当接部を含み、前記当接部が前後方向に揺動するように前記収納部に回転軸を介して設けられた押し出し部と、を備える。前記押し出し部は、前記回転軸よりも前方に錘を有し、前記錘の自重によって前記当接部が前方向に付勢される。前記当接部は、送り出し方向と逆方向への前記ロールペーパーの回転を妨げる摩擦面を有する。【選択図】図１
2017143912.tif 000002
【特許請求の範囲】
【請求項１】
ロールペーパーを回転可能に保持する収納部と、
前記ロールペーパーの前面上部に接触させるための先端部を含み、前記先端部が上下方向に揺動するように前記収納部に設けられたカバー部と、
前記ロールペーパーの後面に当接させるための当接部を含み、前記当接部が前後方向に揺動するように前記収納部に回転軸を介して設けられた押し出し部と、を備え、
前記押し出し部は、前記回転軸よりも前方に錘を有し、前記錘の自重によって前記当接部が前方向に付勢され、
前記当接部は、送り出し方向と逆方向への前記ロールペーパーの回転を妨げる摩擦面を有する
ペーパーホルダー。
【請求項２】
請求項１に記載のペーパーホルダーであって、
前記押し出し部は、前記ペーパーホルダーの左右方向に前記ロールペーパーの側面より外側まで延びる支持部材を有し、前記支持部材の左右両端にそれぞれ前記錘が設けられている
ペーパーホルダー。
【請求項３】
請求項２に記載のペーパーホルダーであって、
前記収納部は、
前記ロールペーパーの後面に向かい合い、前記押し出し部を前記回転軸を介して接続する基部と、
前記ロールペーパーの両側面に向かい合い、前記ロールペーパーを保持する芯受け部を有する１組の側部とを含み、
前記側部には、前記錘及びその可動範囲を収納する収納溝が設けられている
ペーパーホルダー。
【請求項４】
請求項３に記載のペーパーホルダーであって、
前記収納溝内に収納された前記錘は、前記ペーパーホルダーを正面視した場合に隠れている
ペーパーホルダー。
【請求項５】
請求項１に記載のペーパーホルダーであって、
前記摩擦面は、前記ロールペーパーの外周面に沿うように湾曲している
ペーパーホルダー。
【発明の詳細な説明】
【技術分野】
【０００１】
本発明は、ペーパーホルダーに関し、特に、トイレットペーパー等のロールペーパー用のホルダーに関する。
【背景技術】
【０００２】
特許文献１は、ロールペーパーの先端部を簡単な操作で送り出し可能とすることを目的としている。特許文献１には、「基部から前方に突出させたロール支持部に芯受け体を設けて該芯受け体に吊り下げ用の空洞を有する円筒状芯材に巻着したロールペーパーを前記基部と平行且つ水平に吊り下げ可能としたロール装填部と、前記基部又はロール支持部に設けた枢支部を介して上下擺動可能とすると共に先端部に設けたペーパー切断刃で前記ロールペーパーの前側のペーパーを切断可能としたペーパー切断部とを備えたペーパーホルダーにおいて、前記ロールペーパーの外周面に対して前記ペーパーの先端部を送り出す方向には抵抗少なく且つその逆方向には抵抗大とする逆止面を有するロール送り出し部を前記ペーパーの使用により径が減衰するロールペーパーの後側面に対して常に当接可能となるように装着し、前記ロールペーパー外周面の前側上部面から下面にかけての部位に当接し、前記芯材が芯受け体で支持されつつ回動して該ロールペーパーを押し上げ可能とするロール押圧部を前記基部又はロール支持部に設けたことを特徴とする」と開示されている。また、特許文献１には、「前記ロール送り出し部に、該ロール送り出し部の逆止面に対してロールペーパーを前へ付勢するバネを設けたことを特徴とする」と開示されている。
【先行技術文献】
【特許文献】
【０００３】
【特許文献１】特開２０１４−１５５６９７号公報
【発明の概要】
【発明が解決しようとする課題】
【０００４】
特許文献１のペーパーホルダーは、ロールペーパーの後側上部面に対して常に当接するロール送り出し部を有する。当該ロール送り出し部は、ロールペーパーを前側へ付勢する板バネを有する。ロールペーパーの後側上部面は、このロール送り出し部によって常に押圧される。ここで、トイレットペーパー等のロールペーパーは、薄くて損傷し易い。従って、実際は、板バネは、ロール送り出し部が当接するロールペーパーの当接領域を損傷しない程度の付勢力を持つように薄く形成される必要がある。
【０００５】
このような薄い板バネは、例えば、ロールペーパーの交換の際に使用者の手やロールペーパーが衝突すると、簡単に変形してしまう。板バネの変形は、例えば、ロール送り出し部の向きを正しい向きから変化させる。このような変化は、ロール送り出し部とロールペーパーの当接箇所の損傷を発生させたり、ロールペーパーの端部の送り出し動作の不具合を発生させたりするおそれがある。また、このような薄い板バネは、繰り返しの利用により劣化し、付勢力が低下してしまうこともある。付勢力の低下は、例えば、ロールペーパーの端部の送り出し動作の不具合を発生させるおそれがある。
【０００６】
本発明の目的は、ロールペーパーの端部をより確実に送り出すとともに、ロールペーパーの損傷を防ぐことにある。
【課題を解決するための手段】
【０００７】
上記の課題を解決する本発明の一態様は、ペーパーホルダーであって、ロールペーパーを回転可能に保持する収納部と、前記ロールペーパーの前面上部に接触させるための先端部を含み、前記先端部が上下方向に揺動するように前記収納部に設けられたカバー部と、前記ロールペーパーの後面に当接させるための当接部を含み、前記当接部が前後方向に揺動するように前記収納部に回転軸を介して設けられた押し出し部と、を備え、前記押し出し部は、前記回転軸よりも前方に錘を有し、前記錘の自重によって前記当接部が前方向に付勢され、前記当接部は、送り出し方向と逆方向への前記ロールペーパーの回転を妨げる摩擦面を有する。
【０００８】
上記のペーパーホルダーにおいて、前記押し出し部は、前記ペーパーホルダーの左右方向に前記ロールペーパーの側面より外側まで延びる支持部材を有し、前記支持部材の左右両端にそれぞれ前記錘が設けられていてもよい。
【０００９】
上記のペーパーホルダーにおいて、前記収納部は、前記ロールペーパーの後面に向かい合い、前記押し出し部を前記回転軸を介して接続する基部と、前記ロールペーパーの両側面に向かい合い、前記ロールペーパーを保持する芯受け部を有する１組の側部とを含み、前記側部には、前記錘及びその可動範囲を収納する収納溝が設けられていてもよい。
【００１０】
上記のペーパーホルダーにおいて、前記収納溝内に収納された前記錘は、前記ペーパーホルダーを正面視した場合に隠れていてもよい。
【００１１】
上記のペーパーホルダーにおいて、前記摩擦面は、前記ロールペーパーの外周面に沿うように湾曲していてもよい。
【発明の効果】
【００１２】
本発明によれば、ロールペーパーの端部をより確実に送り出すとともに、ロールペーパーの損傷を防ぐことができる。
【図面の簡単な説明】
【００１３】
【図１】ペーパーホルダー１の上側斜視図である。
【図２】ペーパーホルダー１の上側斜視図である。
【図３】ペーパーホルダー１の下側斜視図である。
【図４】ペーパーホルダー１の正面図である。
【図５】ペーパーホルダー１の側面図である。
【図６】ペーパーホルダー１の分解図である。
【図７】収納部２の正面図である。
【図８】押し出し部４の分解図である。
【図９】径が大きいロールペーパーＰの送り出しを説明する図である。
【図１０】径が小さいロールペーパーＰの送り出しを説明する図である。
【発明を実施するための形態】
【００１４】
以下、本発明の一実施形態について、図面を参照して説明する。本実施形態の一例は、ロールペーパーとしてのトイレットペーパーを保持するためのペーパーホルダー１に関する。
【００１５】
図１〜図５は、壁Ｗに取り付けられたペーパーホルダー１を示している。図１は、ペーパーホルダー１の上側斜視図である。図１は、ペーパーホルダー１に保持されるロールペーパーＰを２点鎖線で示し、隠れた形状の一部を破線で示している。図２は、ペーパーホルダー１の上側斜視図である。図２は、省略した側部２２Ｒを２点鎖線で示し、隠れた形状の一部を破線で示している。図３は、ペーパーホルダー１の下側斜視図である。図３は、省略した収納部２及びカバー部３を２点鎖線で示している。図４は、ペーパーホルダー１の正面図である。図４は、隠れた形状の一部を破線で示している。図５は、ペーパーホルダー１の側面図である。図５は、側部２２Ｒを省略している。図５は、ペーパーホルダー１に保持されるロールペーパーＰを２点鎖線で示している。
【００１６】
図６は、ペーパーホルダー１の分解図である。図６は、隠れた形状の一部を破線で示している。図７は、収納部２の正面図である。図７は、押し出し部４を省略している。図８は、押し出し部４の分解図である。
【００１７】
ペーパーホルダー１は、収納部２と、カバー部３と、押し出し部４とを有する。収納部２は、ロールペーパーＰを回転可能に保持する。カバー部３は、ロールペーパーＰの上面の少なくとも一部を覆う。押し出し部４は、ロールペーパーＰの後面の少なくとも一部に接触し、ロールペーパーＰを後方から前方に押す。
【００１８】
収納部２は、壁Ｗに固定される基部２１と、基部２１の左右両側から前方に延びる１組の側部２２（２２Ｌ、２２Ｒ）とを含む。基部２１の内壁面は、装填されるロールペーパーＰの後面と略平行に向かい合う。両側部２２の内壁面は、それぞれ、ロールペーパーＰの両側面と略平行に向かい合う。側部２２Ｌ及び側部２２Ｒは、対称に構成されているので、以下では側部２２Ｌに着目して説明する。
【００１９】
側部２２Ｌの内壁面の上部には、ロールペーパーＰの芯Ｔを支持する芯受け部２３Ｌが設けられている。また、側部２２Ｌの内壁面の上部には、芯受け部２３Ｌを上向きに折り畳んで収納するための収納溝２４Ｌが形成されている。芯受け部２３Ｌは、前後方向の回転軸（図示せず）を介して収納溝２４Ｌに取り付けられており、略水平から略垂直までの範囲で揺動することができる（図４の矢印参照）。略垂直の状態の芯受け部２３Ｌは、側部２２Ｌの内壁面から突出しないように、収納溝２４Ｌに収納される。芯受け部２３Ｌを略水平の状態に自動的に戻るように付勢するバネ、錘等の付勢手段を設けてもよい。
【００２０】
ロールペーパーＰをペーパーホルダー１に装填する際、ロールペーパーＰが収納部２の下方から上方に向かって挿入されると、上記の芯受け部２３Ｌは、ロールペーパーＰに当たって略垂直に折り畳まれる。そして、芯受け部２３Ｌは、芯Ｔの内側に入ると、略水平に開く。このようにして、ロールペーパーＰの芯Ｔは、芯受け部２３Ｌに回転可能に支持される。
【００２１】
芯受け部２３Ｌの外周は、ロールペーパーＰを滑らかに回転させるため、少なくとも上部に曲面を含んで形成されるのが望ましい。また、芯受け部２３Ｌの外径は、ロールペーパーＰが前後上下に動くことができるように、芯Ｔの内径よりも十分小さく（例えば、半分程度）設定するのが望ましい。
【００２２】
側部２２Ｌの内壁面の下部には、押し出し部４の支持部材４４の左端部（少なくとも側部材４４Ｌ及び錘４５Ｌ）を収納するための収納溝２５Ｌが形成されている。収納溝２５Ｌは、支持部材４４の側部材４４Ｌ及び錘４５Ｌとこれらの可動範囲とを少なくとも含む空間を有する。すなわち、ペーパーホルダー１を正面視した場合に、支持部材４４の側部材４４Ｌ及び錘４５Ｌは、これらの可動範囲内のどの姿勢においても、収納溝２５Ｌ内に隠れる。また、本実施形態では、図５等に示すように、側部２２Ｌの内壁面を正面視した場合に、収納溝２５Ｌの開口の面積は、収納溝２５Ｌ内部の面積よりも狭くなるように形成されている。押し出し部４については、後に詳述する。
【００２３】
なお、側部２２Ｒは、上述した側部２２Ｌの各部と対応する構成、芯受け部２３Ｒ、収納溝２４Ｒ、及び収納溝２５Ｒを有する。また、押し出し部４の支持部材４４は、上述した側部材４４Ｌ及び錘４５Ｌと対応する構成、側部材４４Ｒ及び錘４５Ｒを有する。
【００２４】
カバー部３は、全体として概ね先端部３１が収納部２の内側に向かって湾曲した板状に形成されている。カバー部３の先端部３１と反対側の他端は、左右方向の回転軸３２を介して両側部２２の上部の壁Ｗ側に取り付けられている。カバー部３及びその先端部３１は、回転軸３２を中心に上下方向に揺動することができる（図５の矢印参照）。先端部３１には、左右方向に延びる切断刃３３が設けられている。切断刃３３は、カバー部３を倒した状態でロールペーパーＰの前面上部に当接する。
【００２５】
使用者は、例えば、先端部３１の前方に外に引き出されたロールペーパーＰの端部をカバー部３を押さえながら上方に引っ張ることで、切断刃３３によってロールペーパーＰを左右方向に切断することができる。
【００２６】
押し出し部４は、ロールペーパーＰの後側に設けられている。押し出し部４は、当接部材４１と、摩擦面４２と、ヒンジ部材４３と、支持部材４４と、左右１組の錘４５Ｌ及び４５Ｒとを含む。
【００２７】
ヒンジ部材４３は、２枚のヒンジ片４３ａ及び４３ｂと、これらのヒンジ片４３ａ及び４３ｂを連結するヒンジ軸４３ｃとを含む。ヒンジ片４３ａは、基部２１から前方に延びるように基部２１の下部の内壁に固定されている。ヒンジ片４３ｂには、当接部材４１及び支持部材４４が固定されている。ヒンジ片４３ｂは、ヒンジ軸４３ｃを中心に前後方向に揺動することができる（図５の矢印参照）。ヒンジ部材４３の左右方向の幅寸法は、自由に揺動できるように、両側部２２の内壁間の距離よりも短く設定される。
【００２８】
当接部材４１は、全体として概ねロールペーパーＰの後面の外周に沿うように湾曲した板状に形成されている。当接部材４１の上方端は、ロールペーパーＰの後面上側に位置する。当接部材４１は、ヒンジ軸４３ｃを中心に前後方向に揺動することができる（図５の矢印参照）。当接部材４１の揺動範囲は、大きい分には限定されないが、図５の例では、当接部材４１の後面が基部２１に当たる位置から、当接部材４１の前面が芯受け部２３に当たる位置までである。当接部材４１の左右方向の幅寸法は、自由に揺動できるように、両側部２２の内壁間の距離よりも短く設定される。
【００２９】
当接部材４１の前面側のロールペーパーＰと当接する領域には、摩擦面４２が設けられている。摩擦面４２のロールペーパーＰの外周面に対する抵抗は、ロールペーパーＰの送り出し方向（ロールペーパーＰの上部が前方へ回転する方向）に対しては小さく、送り出し方向と逆方向（ロールペーパーＰの上部が後方へ回転する方向）に対しては大きくなるように設定される。このような摩擦面４２は、例えば、抵抗を小さくする方向（図５の場合、上方）に傾斜するようにパイルを織り出した生地を用いて実現することができる。この生地をパイルが傾斜した方向に撫でると抵抗が小さく、その逆方向に撫でるとパイルが引っ掛かり抵抗が大きい。もちろん、摩擦面４２は、表面処理した樹脂や金属を用いるなど、他の方法で実現してもよい。
【００３０】
支持部材４４は、ヒンジ片４３ｂに固定された左右方向に延びる中央部材４４Ｃと、中央部材４４Ｃの左右両側から前方向に延びる１組の側部材４４Ｌ及び４４Ｒとを含む。中央部材４４Ｃと両側部材４４Ｌ及び４４Ｒは、板状に形成されている。両側部材４４Ｌ及び４４Ｒの前方端部の外側には、錘４５Ｌ及び４５Ｒが設けられている。中央部材４４Ｃの左右方向の幅寸法は、両側部材４４Ｌ及び４４ＲがロールペーパーＰの側面に接触しないように、ロールペーパーＰの両側面間の距離よりも大きく設定される。また、中央部材４４Ｃの左右方向の幅寸法は、両側部材４４Ｌ及び４４Ｒと両錘４５Ｌ及び４５Ｒが両収納溝２５内に隠れ、かつ、両収納溝２５の内壁に接触しないように、設定される。
【００３１】
ヒンジ片４３ｂは、側部材４４Ｌ及び４４Ｒに設けられた錘４５Ｌ及び４５Ｒの自重によって、ヒンジ軸４３ｃ周りに前方向に付勢される。当接部材４１も、ヒンジ軸４３ｃ周りに前方向に付勢される。装填されたロールペーパーＰは、当接部材４１によって前方向に押圧される。また、ロールペーパーＰには、押圧される摩擦面４２によって、送り出し方向の回転力が生じる。この点は、後に詳述する。
【００３２】
図６に示すように、基部２１は、例えば、１本以上の雄ねじ５を用いて壁Ｗに固定される。また、ヒンジ片４３ａは、例えば、１本以上の雄ねじ５を用いて基部２１及び壁Ｗに固定される。もちろん、ヒンジ片４３ａは、例えば１組以上のボルトおよびナットを用いて、基部２１のみに固定されてもよい。なお、ペーパーホルダー１の壁Ｗへの固定方法は、図６に示した例に限定されない。また、押し出し部４の基部２１への固定方法は、図６に示した例に限定されない。例えば、ヒンジ片４３ａは、基部２１に固定するのではなく、側部２２のみに又は基部２１と側部２２の両方に固定してもよい。
【００３３】
上述のペーパーホルダー１に装填されたロールペーパーＰの端部Ｐ１を送り出す仕組みについて説明する。
【００３４】
図９は、径が大きいロールペーパーＰの送り出しを説明する図である。図９は、側部２２Ｒを省略している。図９は、（Ａ）から（Ｄ）まで順番にロールペーパーＰ及びペーパーホルダー１の動きを示している。Ｃ１〜Ｃ４は、図９（Ａ）〜（Ｄ）の各状態におけるロールペーパーＰの中心軸の位置を示す。Ｃ０は、ロールペーパーＰが押し出し部４に当接されずに芯受け部２３に自由に吊られた状態における中心軸の位置を示す。
【００３５】
図９（Ａ）は、ロールペーパーＰが使用された直後の状態を示している。例えば、使用者は、カバー部３を下方向に押さえながらロールペーパーＰの端部Ｐ１を上方に引っ張ることで、先端部３１の切断刃３３によってロールペーパーＰを切断する。この状態では、ロールペーパーＰの端部Ｐ１は、ほとんどカバー部３に隠れており、カバー部３を上方に開けない限り、端部Ｐ１を掴んで引っ張り出すことは難しい。また、図９（Ａ）では、ロールペーパーＰは、押し出し部４によって前方に押圧された状態で、芯受け部２３を支点として、全体として前方に移動した状態で静止している。このときの中心軸は、Ｃ０よりも前方のＣ１に位置している。
【００３６】
図９（Ｂ）は、カバー部３が下方に押された状態を示している。例えば、使用者は、ロールペーパーＰが移動する程度の力で、カバー部３の上面の前側辺りを下方向に押圧する。切断刃３３がロールペーパーＰの前面上部に当接しているため、ロールペーパーＰは、後方に移動する。この間、ロールペーパーＰには、芯受け部２３を支点として、送り出し方向への回転も生じる。摩擦面４２によって送り出し方向と逆方向の回転に大きい抵抗が生じるため、逆方向の回転は妨げられる。中心軸は、Ｃ１から後方のＣ２まで移動する。端部Ｐ１はまだカバー部３に抑えられているが、回転した分だけロールペーパーＰが弛んでいる。
【００３７】
図９（Ｃ）は、カバー部３が自由になった状態を示している。例えば、使用者は、カバー部３の上面から手を離す。当接部材４１がロールペーパーＰの後面に当接して、前方に押圧しているため、ロールペーパーＰは、前方に押し出される。この間、ロールペーパーＰには、芯受け部２３を支点として、送り出し方向への回転も生じる。摩擦面４２によって送り出し方向と逆方向の回転は妨げられる。中心軸は、Ｃ２から前方のＣ３まで移動する。端部Ｐ１は、図９（Ｂ）及び図９（Ｃ）において回転した分だけ、カバー部３から露出する。
【００３８】
図９（Ｄ）は、図９（Ｃ）よりもさらにロールペーパーＰが押し出されて、静止した状態を示している。ロールペーパーＰは、さらに前方に押し出される。この間、ロールペーパーＰには、芯受け部２３を支点として、送り出し方向への回転も生じる。摩擦面４２によって送り出し方向と逆方向の回転は妨げられる。中心軸は、Ｃ３から前方のＣ４まで移動する。Ｃ４は、図９（Ａ）に示すＣ１と概ね同じ位置である。端部Ｐ１は、図９（Ｄ）で回転した分だけ、送り出し方向へ移動する。
【００３９】
図１０は、径が小さいロールペーパーＰの送り出しを説明する図である。図１０は、側部２２Ｒを省略している。図１０は、（Ａ）から（Ｄ）まで順番にロールペーパーＰ及びペーパーホルダー１の動きを示している。Ｃ１〜Ｃ４は、図１０（Ａ）〜（Ｄ）の各状態におけるロールペーパーＰの中心軸の位置を示す。Ｃ０は、ロールペーパーＰが押し出し部４を当接されずに芯受け部２３に自由に吊られた状態における中心軸の位置を示す。
【００４０】
径が小さい場合も、径が大きい場合と基本的に同様なので、説明を省略する。このように、使用者は、カバー部３を押して離すという操作を行うことで、ロールペーパーＰの端部Ｐ１を送り出すことができる。
【００４１】
以上、本発明の一実施形態について説明した。本実施形態によれば、ロールペーパーの端部をより確実に送り出すとともに、ロールペーパーの損傷を防ぐことができる。また、カバーを押して離すという簡単な操作で、ロールペーパーの端部を送り出すことができる。
【００４２】
例えば、本実施形態のペーパーホルダー１は、回転軸を介して揺動可能な押し出し部４有する。この押し出し部４は、錘４５の自重によってロールペーパーＰを前方向に押し出すように働く。このような構成は、板バネと異なり、簡単に変形しないし、その付勢力が低下することもない。これにより、より確実にロールペーパーＰの送り出し動作を制御できるとともに、ロールペーパーＰとの当接箇所の損傷を防ぐこともできる。
【００４３】
また、例えば、本実施形態の押し出し部４は、左右両端に錘４５を有する。これにより、ヒンジ軸４３ｃの左右方向に負荷が均等に掛かるので、押し出し部４の回転がスムースになる。また、ヒンジ軸４３ｃの耐久性も保てる。
【００４４】
また、例えば、本実施形態の側部材４４Ｌ及び４４Ｒと錘４５Ｌ及び４５Ｒは、収納溝２５に収納されている。これにより、例えば、ロールペーパーＰの交換の際に使用者の手やロールペーパーＰが、側部材又は錘に衝突するのを防ぐことができる。ペーパーホルダー１を正面視した場合のデザイン状の美観も向上することもできる。また、側部２２の内壁面を正面視した場合に、収納溝２５の開口の面積は、収納溝２５内部の面積よりも狭くなるように形成されている。これにより、側部材又は錘へ衝突をより効果的に防ぐことができる。
【００４５】
また、例えば、本実施形態の当接部材４１は、ロールペーパーＰの外周に沿うように湾曲した板状に形成されている。また、当接部材４１の上方端は、ロールペーパーＰの後面上側に位置する。この当接部材４１の形状は、真っすぐな平板状である場合と比べて、特にロールペーパーＰの径が小さい場合に、ロールペーパーＰを下方に押さえ付けてロールペーパーＰが上方に浮き上がるのを効果的に防ぐことができる（図１０参照）。これにより、ロールペーパーＰの上昇とともに切断刃３３が上昇する（ロールペーパーＰの外周面に対する切断刃３３の角度が小さくなる）のを防ぎ、切断刃３３をロールペーパーＰの前面上部により確実に引っ掛からせることができる。
【００４６】
また、例えば、本実施形態の押し出し部４は、錘４５を使うことで、どの回転角度においてもその付勢力を安定的に発揮することができる。板バネを用いた場合、ロールペーパーＰの径が大きい状態と小さい状態では、その付勢力が変化すると推測される。付勢力の変化は、ロール送り出し部とロールペーパーＰの当接箇所の損傷を発生させたり、ロールペーパーＰの端部の送り出し動作の不具合を発生させたりするおそれがある。
【００４７】
上記の本発明の実施形態は、本発明の要旨と範囲を例示することを意図し、限定するものではない。例えば、ペーパーホルダー１の各部の配置、寸法、形状等の構成は、本発明の目的を達成できれば、図示した例に限られない。また、図９、図１０等の図を用いて説明した動作原理は、分かり易い説明を意図したものであり、同様の目的を達成できれば、これに限定されない。
【００４８】
本発明は、本発明の要旨の範囲内で種々の変形実施が可能である。また、上述の実施形態および各変形例を適宜組み合わせることも可能である。
【００４９】
例えば、当接部材４１の下端部を、ヒンジ軸４３ｃの反対方向まで延長してもよい。ペーパーホルダー１を正面視した場合に、ヒンジ部材４３及び中央部材４４Ｃが隠れる。これにより、例えば、ロールペーパーＰの交換の際に使用者の手やロールペーパーＰが、ヒンジ部材４３及び中央部材４４Ｃに衝突するのを防ぐことができる。
【００５０】
例えば、当接部材４１の下端部を、ヒンジ軸４３ｃの反対方向まで延長してもよい。また、支持部材４４、錘４５、及び収納溝２５に替えて、当接部材４１の下端部の後面に錘を設けてもよい。このような構成でも、当接部材４１は、前後方向に揺動可能である。
【００５１】
本発明は、トイレットペーパーに限らず、キッチンペーパー等の他のロールペーパーにも使用することができる。また、本発明は、紙に限らず、フィルム等のロール状の消費財に使用することができる。
【符号の説明】
【００５２】
１…ペーパーホルダー、２…収納部、３…カバー部、４…押し出し部、２１…基部、２２（２２Ｌ、２２Ｒ）…側部、２３（２３Ｌ、２３Ｒ）…芯受け部、２４（２４Ｌ、２４Ｒ）…収納溝、２４（２５Ｌ、２５Ｒ）…収納溝、３１…先端部、３２…回転軸、３３…切断刃、４１…当接部材、４２…摩擦面、４３…ヒンジ部材、４３ａ…ヒンジ片、４３ｂ…ヒンジ片、４３ｃ…ヒンジ軸、４４…支持部材、４４Ｃ…中央部材、４４Ｌ…側部材、４４Ｒ…側部材、４５Ｌ…錘、４５Ｒ…錘、Ｐ…ロールペーパー、Ｐ１…端部、Ｔ…芯、Ｗ…壁
【図１】
2017143912.tif 000003
【図２】
2017143912.tif 000004
【図３】
2017143912.tif 000005
【図４】
2017143912.tif 000006
【図５】
2017143912.tif 000007
【図６】
2017143912.tif 000008
【図７】
2017143912.tif 000009
【図８】
2017143912.tif 000010
【図９】
2017143912.tif 000011
【図１０】
2017143912.tif 000012